(57)【要約】【課題】投影スクリーンの透明度を調整することが可能な投影装置を提供する。【解決手段】投影スクリーンの透明度を調整することが可能な投影装置１００は、パネル１０、少なくとも１つの調光フィルム２０、投影機３０及びコントローラ４０を備える。パネル１０は透明板体である。調光フィルム２０は、パネル１０上に形成されて透光状態又は非透光状態の投影スクリーンに成形される。投影機３０は、パネル１０の一側に設けられる。コントローラ４０は、パネル１０の一側に設けられるとともに、投影機３０及び調光フィルム２０と電気的に接続される。コントローラ４０により調光フィルム２０を非透光状態にするとともに、投影装置１００を制御して調光フィルム２０へ投影することにより、ユーザに投影画面を見せ、コントローラ４０により制御して調光フィルム２０を透光状態にすることにより、投影機３０の投影を停止し、調光フィルム２０後方の光景を見せる。【選択図】図１
0003208019.tif 000002
【実用新案登録請求の範囲】
【請求項１】
パネル、少なくとも１つの調光フィルム、投影機及びコントローラを備えた、投影スクリーンの透明度を調整することが可能な投影装置であって、
前記パネルは透明板体であり、
前記調光フィルムは、前記パネル上に形成されて前記投影スクリーンに成形され、透光状態又は非透光状態にし、
前記投影機は、前記パネルの一側に設けられ、
前記コントローラは、前記パネルの一側に設けられるとともに、前記投影機及び前記調光フィルムと電気的に接続され、
前記コントローラにより前記調光フィルムを非透光状態にするとともに、前記投影機を制御して前記調光フィルムへ投影し、ユーザに投影画面を見せ、前記コントローラにより制御して前記調光フィルムを透光状態にし、前記投影機の投影を停止し、前記調光フィルム後方の光景を見せることを特徴とする、投影スクリーンの透明度を調整することが可能な投影装置。
【請求項２】
筐体及びシェルフをさらに備え、
前記筐体内には、収容空間が形成され、
前記収容空間は、第１の収容空間及び第２の収容空間を含み、
前記筐体の一側は、前記第１の収容空間に対応し、ユーザの視線方向にウィンドウが形成され、
前記パネルは、前記筐体の前記ウィンドウに配設され、
前記投影機及び前記コントローラは、前記筐体の前記第２の収容空間内に配設され、
前記筐体を壁面に嵌入してショーウィンドウを形成し、
前記シェルフは、前記筐体の前記第１の収容空間に配設され、物品の載置に用いることを特徴とする請求項１に記載の投影スクリーンの透明度を調整することが可能な投影装置。
【請求項３】
反射ミラーをさらに備え、
前記反射ミラーは、前記筐体の前記第２の収容空間内に設置され、
前記投影機は、前記反射ミラーを介して前記調光フィルムへ投影することを特徴とする請求項２に記載の投影スクリーンの透明度を調整することが可能な投影装置。
【請求項４】
前記パネルは、ガラス及びアクリル樹脂からなる透明板体であり、
前記調光フィルムは、前記パネル上に形成されるとともに、透明度が調整可能なように高分子分散型液晶からなることを特徴とする請求項１に記載の投影スクリーンの透明度を調整することが可能な投影装置。
【請求項５】
前記コントローラは、計時モジュールをさらに含み、
前記計時モジュールは、前記調光フィルムが透光状態となる時間と、前記調光フィルムが非透光状態となる時間と、前記投影機が投影する時間とを計時することを特徴とする請求項１に記載の投影スクリーンの透明度を調整することが可能な投影装置。
【考案の詳細な説明】
【技術分野】
【０００１】
本考案は、表示装置に関するものであり、さらに詳しくは、投影スクリーンの透明度を調整することが可能な投影装置に関するものである。
【背景技術】
【０００２】
光源の干渉を防ぎ、大型サイズの平面表示装置の経済性を高めるために、一部のメーカーによりリアプロジェクションディスプレイが開発されている。このリアプロジェクションディスプレイは、光線反射の原理を利用してスクリーン背面に投影する構造を有するものである。リアプロジェクションディスプレイは、ハウジングを含む。ハウジングの側部には、外側を向くように表示スクリーンが設けられ、ハウジング内の表示スクリーンの一側には、投影機及び反射装置が設けられる。投影機は、反射装置を介して表示スクリーンへ投影を行う。投影機は、光に干渉が生じることを防ぐために、ハウジング内に設けられる。このように、屋外でリアプロジェクションディスプレイを使用すると高い展示効果及び放映効果を得ることができる。しかし、上述したような従来の平面表示装置は、光を透過させる特性を備えていない上、一般の実店舗の展示空間の広さが十分でないため、展示空間に設置した場合、実物の商品を展示することができないという欠点があり、改善が求められてきた。
【考案の概要】
【考案が解決しようとする課題】
【０００３】
従って、本考案の主な課題は、投影スクリーンの透明度を調整することが可能な投影装置を提供することにある。
【課題を解決するための手段】
【０００４】
そこで、本考案者は、前記課題を解決するために鋭意検討を重ねた結果、パネル、調光フィルム、投影機及びコントローラを備えた投影装置であって、前記パネルは透明板体であり、前記調光フィルムは、前記パネル上に形成されて前記投影スクリーンに成形され、透光状態又は非透光状態にし、前記投影機は、前記パネルの一側に設けられ、前記コントローラは、前記パネルの一側に設けられるとともに、前記投影機及び前記調光フィルムと電気的に接続され、前記コントローラにより前記調光フィルムを非透光状態にするとともに、前記投影機を制御して前記調光フィルムへ投影し、ユーザに投影画面を見せ、前記コントローラにより制御して前記調光フィルムを透光状態にし、前記投影機の投影を停止し、前記調光フィルム後方の光景を見せることにより、投影スクリーンの透明度を調整することが可能な投影装置が提供されることに着目し、かかる知見に基いて本考案に想到するに至ったものである。
【０００５】
すなわち、上記課題を解決するために、本考案のひとつの形態によれば、パネル、少なくとも１つの調光フィルム、投影機及びコントローラを備えた、投影スクリーンの透明度を調整することが可能な投影装置であって、前記パネルは透明板体であり、前記調光フィルムは、前記パネル上に形成されて前記投影スクリーンに成形され、透光状態又は非透光状態にし、前記投影機は、前記パネルの一側に設けられ、前記コントローラは、前記パネルの一側に設けられるとともに、前記投影機及び前記調光フィルムと電気的に接続され、前記コントローラにより前記調光フィルムを非透光状態にするとともに、前記投影機を制御して前記調光フィルムへ投影し、ユーザに投影画面を見せ、前記コントローラにより制御して前記調光フィルムを透光状態にし、前記投影機の投影を停止し、前記調光フィルム後方の光景を見せることからなる投影スクリーンの透明度を調整することが可能な投影装置が提供される。
【０００６】
かくして、本考案の要旨は、次の（１）〜（５）の通りとなる。
（１）パネル、少なくとも１つの調光フィルム、投影機及びコントローラを備えた、投影スクリーンの透明度を調整することが可能な投影装置であって、
前記パネルは透明板体であり、
前記調光フィルムは、前記パネル上に形成されて前記投影スクリーンに成形され、透光状態又は非透光状態にし、
前記投影機は、前記パネルの一側に設けられ、
前記コントローラは、前記パネルの一側に設けられるとともに、前記投影機及び前記調光フィルムと電気的に接続され、
前記コントローラにより前記調光フィルムを非透光状態にするとともに、前記投影機を制御して前記調光フィルムへ投影し、ユーザに投影画面を見せ、前記コントローラにより制御して前記調光フィルムを透光状態にし、前記投影機の投影を停止し、前記調光フィルム後方の光景を見せることを特徴とする、投影スクリーンの透明度を調整することが可能な投影装置。
（２）筐体及びシェルフをさらに備え、
前記筐体内には、収容空間が形成され、
前記収容空間は、第１の収容空間及び第２の収容空間を含み、
前記筐体の一側は、前記第１の収容空間に対応し、ユーザの視線方向にウィンドウが形成され、
前記パネルは、前記筐体の前記ウィンドウに配設され、
前記投影機及び前記コントローラは、前記筐体の前記第２の収容空間内に配設され、
前記筐体を壁面に嵌入してショーウィンドウを形成し、
前記シェルフは、前記筐体の前記第１の収容空間に配設され、物品の載置に用いることを特徴とする前記（１）に記載の投影スクリーンの透明度を調整することが可能な投影装置。
（３）反射ミラーをさらに備え、
前記反射ミラーは、前記筐体の前記第２の収容空間内に設置され、
前記投影機は、前記反射ミラーを介して前記調光フィルムへ投影することを特徴とする前記（２）に記載の投影スクリーンの透明度を調整することが可能な投影装置。
（４）前記パネルは、ガラス及びアクリル樹脂からなる透明板体であり、
前記調光フィルムは、前記パネル上に形成されるとともに、透明度が調整可能なように高分子分散型液晶からなることを特徴とする前記（１）に記載の投影スクリーンの透明度を調整することが可能な投影装置。
（５）前記コントローラは、計時モジュールをさらに含み、
前記計時モジュールは、前記調光フィルムが透光状態となる時間と、前記調光フィルムが非透光状態となる時間と、前記投影機が投影する時間とを計時することを特徴とする前記（１）に記載の投影スクリーンの透明度を調整することが可能な投影装置。
【考案の効果】
【０００７】
本考案は、前記の通りの構成からなり、コントローラにより透光量の調整により調光フィルムの透光状態を制御することができ、また、後述するように、筐体を使用する場合、投射される画像は、外部の光源により干渉されにくいという効果を奏する。また、反射ミラーを設けることにより筐体の収容空間を柔軟に応用することができる。
【図面の簡単な説明】
【０００８】
【図１】図１は、本考案の第１実施形態に係る投影スクリーンの透明度を調整することが可能な投影構造体を示す斜視図である。
【図２】図２は、本考案の第１実施形態に係る投影スクリーンの透明度を調整することが可能な投影装置の調光フィルム及び投影機の制御を示すブロック図である。
【図３】図３は、本考案の第２実施形態に係る投影スクリーンの透明度を調整することが可能な投影装置を示す斜視図である。
【図４】図４は、本考案の第２実施形態に係る投影スクリーンの透明度を調整することが可能な投影装置を示す横断面図である。
【図５】図５は、本考案の第２実施形態に係る投影スクリーンの透明度を調整することが可能な投影装置が非透光性の調光フィルムへ投影するときの状態を示す説明図である。
【図６】図６は、本考案の第２実施形態に係る投影スクリーンの透明度を調整することが可能な投影装置の調光フィルムが透光性の使用状態の説明図である。
【図７】図７は、本考案の第３実施形態に係る投影スクリーンの透明度を調整することが可能な投影装置を示す横断面図である。
【図８】図８は、本考案の第３実施形態に係る投影スクリーンの透明度を調整することが可能な投影装置の使用状態の説明図である。
【考案を実施するための形態】
【０００９】
（第１実施形態）
図１及び図２を参照する。図１は、本考案の第１実施形態に係る投影スクリーンの透明度を調整することが可能な投影装置を示す斜視図である。図２は、本考案の第１実施形態に係る投影スクリーンの透明度を調整することが可能な投影装置の調光フィルム及び投影機の制御を示すブロック図である。図１及び図２に示すように、本考案の第１実施形態に係る投影スクリーンの透明度を調整することが可能な投影装置１００は、少なくともパネル１０、調光フィルム２０、投影機３０及びコントローラ４０から構成されてなるものである。
【００１０】
パネル１０は、ガラス及びアクリル樹脂からなる透明板体である。
【００１１】
調光フィルム２０は、パネル１０上に形成される。調光フィルム２０は、パネル１０上に貼付けられて透光状態又は非透光状態の投影スクリーンに成形される。調光フィルム２０は、透明度が調整可能なように高分子分散型液晶（Ｐｏｌｙｍｅｒ  Ｄｉｓｐｅｒｓｅｄ  Ｌｉｑｕｉｄ  Ｃｒｙｓｔａｌ：ＰＤＬＣ）からなってもよい。
【００１２】
投影機３０は、パネル１０の一側に設けられる。
【００１３】
コントローラ４０は、パネル１０の一側に設けられるとともに、投影機３０及び調光フィルム２０と電気的に接続される。コントローラ４０は、計時モジュール４１をさらに含む。計時モジュール４１は、調光フィルム２０が透光状態となる時間と、非透光状態となる時間と、投影機３０が投影する時間とを計時する。
【００１４】
図１及び図２を再び参照する。図１及び図２に示すように、パネル１０及び投影機３０は、天井下にそれぞれ吊下げ、投影スクリーンの透明度を調整することが可能な投影装置１００を使用する前に、コントローラ４０により複数組の調光フィルム２０が透光状態となる時間と、非透光状態となる時間と、投影機３０が投影する時間とを予め設定し、投影スクリーンの透明度を調整することが可能な投影装置１００を使用する際、コントローラ４０により調光フィルム２０の透光量を減らして調光フィルム２０を非透光状態にする。このようにコントローラ４０は、投影機３０を制御して調光フィルム２０へ画像を投影するとともに、計時モジュール４１を介して同期で調光フィルム２０を非透光状態にして投影機３０の投影時間を記録し、所定の時間に達すると、コントローラ４０により調光フィルム２０の透光量を増やして調光フィルム２０を透光状態にする。
（第２実施形態）
図３及び図４を参照する。図３は、本考案の第２実施形態に係る投影スクリーンの透明度を調整することが可能な投影機を示す斜視図である。図４は、本考案の第２実施形態に係る投影スクリーンの透明度を調整することが可能な投影機を示す横断面図である。図３及び図４に示すように、本考案の第２実施形態に係る投影スクリーンの透明度を調整することが可能な投影装置１００は、筐体５０及びシェルフ６０をさらに備えてもよい。
【００１５】
筐体５０には、収容空間５１が形成されている。収容空間５１は、第１の収容空間５２及び第２の収容空間５３を含む。筐体５０の一側は、第１の収容空間５２に対応し、ユーザの視線方向にウィンドウ５４が形成されている。パネル１０は、筐体５０のウィンドウ５４に配設される。投影機３０及びコントローラ４０は、筐体５０の第２の収容空間５３内に配設される。
【００１６】
シェルフ６０は、筐体５０の第１の収容空間５２に配設され、物品を載置するために用いる。
【００１７】
図３及び図４を再び参照する。図３及び図４に示すように、本考案の第２実施形態に係る投影スクリーンの透明度を調整することが可能な投影装置１００を使用する際、コントローラ４０を介して調光フィルム２０の透光量を減らし、調光フィルム２０を非透光状態にする。このようにコントローラ４０は、投影機３０を制御して筐体５０の第２の収容空間５３へ投影し、表示したい画像を調光フィルム２０へ投影し、使用者に投影した画面を見せるとともに、コントローラ４０が計時モジュール４１を介して同期で調光フィルム２０を非透光状態にして投影機３０が投影する時間を記録する。所定の時間に達すると、コントローラ４０は、調光フィルム２０の透光量を増やして調光フィルム２０を透光状態にして筐体５０の第１の収容空間５２を露出させる。
【００１８】
図５を参照する。図５は、本考案の第２実施形態に係る投影スクリーンの透明度を調整することが可能な投影装置１００が非透光性の調光フィルムへ投影するときの状態を示す説明図である。図５に示すように、コントローラ４０は制御して調光フィルム２０を非透光状態にし、調光フィルム２０により好ましい投影スクリーンを成形してもよい。投影機３０が筐体５０内で投影を行うため、投射される画像は外部の光源により干渉され難く、前述したような従来の平面表示装置と比べ、投影スクリーンの透明度を調整することが可能な投影装置１００は視覚的感覚が好ましく、太陽光が強い場合、手動でコントローラ４０を操作して調光フィルム２０を非透光状態にし、調光フィルム２０が日焼け・断熱機能を得るため、空調の使用を効果的に減らし、エネルギ消費量及び二酸化炭素の排出量を減らすことができる。
【００１９】
図６を参照する。図６は、本考案の第２実施形態に係る投影スクリーンの透明度を調整することが可能な投影装置の調光フィルムが透光性の使用状態の説明図である。図６に示すように、投影スクリーンの透明度を調整することが可能な投影装置１００を使用する前に、シェルフ６０に展示する物を載置することができる。コントローラ４０により制御して調光フィルム２０を透光状態にし、筐体５０の第１の収容空間５２を露出して内容物を展示する。本考案は、必要に応じてコントローラにより調光フィルムの透明度を制御し、透明度を０％、１０％、２０％、５０％又は１００％にする。
（第３実施形態）
図７を参照する。図７は、本考案の第３実施形態に係る投影スクリーンの透明度を調整することが可能な投影装置を示す横断面図である。図７に示すように、本考案の第３実施形態に係る投影スクリーンの透明度を調整することが可能な投影装置１００は、反射ミラー７０をさらに備えてもよい。反射ミラー７０は、筐体５０の第２の収容空間５３内に設置され、投影機３０は、反射ミラー７０を介して調光フィルム２０へ投影される。この構成により投影機３０は、反射ミラー７０を介して前述した実施例と同様の投影効果を得て、反射ミラー７０の設置位置を変えて投影及び反射角度を調整し、筐体５０の第１の収容空間５２及び第２の収容空間５３を柔軟に応用することができる。
【００２０】
コントローラ４０は、ワイヤレスリモコン（例えば、赤外線、ＲＦ、Ｗｉｆｉ、Ｂｌｕｅｔｏｏｔｈ（登録商標）など）により制御したり、人体検知又は音声・光により制御したりして調光フィルムの透明度の調整・制御を行うことができる。
【００２１】
図８を再び参照する。図８に示すように、本考案の第３実施形態に係る投影スクリーンの透明度を調整することが可能な投影装置は、筐体５０を壁面２００に嵌入してショーウィンドウ８０を成形し、実店舗で同時に商品を展示して広告画像を放映し、投影スクリーンの透明度を調整することが可能な投影装置１００を多機能の投影機として用いることができる。
【符号の説明】
【００２２】
１０  パネル
２０  調光フィルム
３０  投影機
４０  コントローラ
４１  計時モジュール
５０  筐体
５１  収容空間
５２  第１の収容空間
５３  第２の収容空間
５４  ウィンドウ
６０  シェルフ
７０  反射ミラー
８０  ショーウィンドウ
１００  投影スクリーンの透明度を調整することが可能な投影装置
２００  壁面
【図１】
0003208019.tif 000003
【図２】
0003208019.tif 000004
【図３】
0003208019.tif 000005
【図４】
0003208019.tif 000006
【図５】
0003208019.tif 000007
【図６】
0003208019.tif 000008
【図７】
0003208019.tif 000009
【図８】
0003208019.tif 000010